(57)【要約】【課題】  新しい趣向のタトゥシール、あるいは、二次元バーコードの新しい利用形態を提供する。【解決手段】  タトゥシール１は、二次元バーコードのミラー反転画像がプリントされている。二次元バーコードの周囲に、模様３、図形・字を付加することもできる。【選択図】  図１
2018022411.tif 000002
【特許請求の範囲】
【請求項１】
二次元バーコードのミラー反転画像がプリントされていることを特徴とするタトゥシール。
【請求項２】
前記二次元バーコードのミラー反転画像が、左右及び／又は上下の端部分が、他の部分に対して拡大されていることを特徴とする請求項１記載のタトゥシール。
【請求項３】
前記二次元バーコードのミラー反転画像の周囲に、模様、図形及び／又は字が付加されていることを特徴とする請求項１又は２記載のタトゥシール。
【請求項４】
人体表面の曲面、又は、柔軟性を有する物の曲面、に貼られたタトゥシール上の二次元バーコード画像を撮影する際に、前記曲面を平たく変形させてから、前記二次元バーコード画像を撮影することを特徴とするタトゥシール撮影方法。
【請求項５】
情報を二次元バーコードに変換し、
前記二次元バーコードの画像をミラー反転し、
反転した画像をタトゥシール印刷用紙に印刷することを特徴とするタトゥシール作成方法。
【請求項６】
情報を入力する入力手段と、
前記情報を二次元バーコードに変換する変換手段と、
前記二次元バーコードの画像をミラー反転する画像反転手段と、
反転された画像をタトゥシール印刷用紙に印刷する印刷手段と、
を備えることを特徴とするタトゥシール作成装置
【発明の詳細な説明】
【技術分野】
【０００１】
本発明は、人体表面等に図形・模様等を転写するタトゥシールに関する。また、そのタトゥシールの撮影方法やプリント装置に関する。
【背景技術】
【０００２】
タトゥシールやそのプリント装置については、特許文献１や２に開示されている。ＱＲコード（登録商標）等の二次元バーコードの使用法の一例（割り箸の袋にＱＲコードを付ける）が、特許文献３に開示されている。
【先行技術文献】
【特許文献】
【０００３】
【特許文献１】特開平11-227392号公報
【特許文献２】特開2003-331355号公報
【特許文献３】特開2008-286817号公報
【発明の開示】
【発明が解決しようとする課題】
【０００４】
本発明は、新しい趣向のタトゥシール、あるいは、二次元バーコードの新しい利用形態を提供することを目的とする。
【課題を解決するための手段】
【０００５】
本発明のタトゥシールは、二次元バーコードのミラー反転画像がプリントされていることを特徴とする。本発明のタトゥシールは、前記二次元バーコードのミラー反転画像が、左右及び／又は上下の端部分が、他の部分に対して拡大されているものとすることができ、この場合、人体表面の曲面、又は、柔軟性を有する物の曲面に貼るタトゥシールを撮影・解読しやすくなる。また、前記二次元バーコードのミラー反転画像の周囲に、模様、図形及び／又は字が付加されているものとすることもできる。
【０００６】
本発明のタトゥシールの撮影方法は、人体表面の曲面、又は、柔軟性を有する物の曲面、に貼られたタトゥシール上の二次元バーコード画像を撮影する際に、前記曲面を平たく変形させてから、前記二次元バーコード画像を撮影することを特徴とする。この場合、人体表面の曲面、又は、柔軟性を有する物の曲面に貼るタトゥシールを撮影・解読しやすくなる。
【０００７】
本発明のタトゥシールの作成方法は、情報を二次元バーコードに変換し、前記二次元バーコードの画像をミラー反転し、反転した画像をタトゥシール印刷用紙に印刷することを特徴とする。本発明のタトゥシール作成装置は、情報を入力する入力手段と、前記情報を二次元バーコードに変換する変換手段と、前記二次元バーコードの画像をミラー反転する画像反転手段と、反転された画像をタトゥシール印刷用紙に印刷する印刷手段と、を備えることを特徴とする。
【発明の効果】
【０００８】
本発明によれば、新しい趣向のタトゥシール、あるいは、二次元バーコードの新しい利用形態を提供することができる。
【図面の簡単な説明】
【０００９】
【図１】本発明の実施形態に係るタトゥシールの平面図である。
【図２】本発明の変形例に係るタトゥシールの構成概要を説明するための模式的平面図である。
【図３】本発明の実施形態に係るタトゥシールの撮影方法を説明するための模式的斜視図である。
【図４】本発明の実施形態に係るタトゥシール作成方法・装置の構成の一部を示す図である。
【図５】本発明の実施形態に係るタトゥシール作成方法・装置の構成の一部を示す図である。
【図６】本発明の実施形態に係るタトゥシール作成方法・装置の構成の一部を示す図である。
【符号の説明】
【００１０】
１；タトゥシール、３；模様
11；タトゥシール、21；腕、23；指
【発明を実施するための形態】
【００１１】
以下、本発明の実施形態を、図面を参照しながら説明する。図１（Ａ）に示すように、本発明の実施形態のタトゥシール１には、二次元バーコード（ＱＲコード）のミラー反転画像がプリントされている。この例は、「ＬＩＮＥ」という文字を意味するＱＲコードのミラー反転画像である。図１（Ｂ）は、（Ａ）のＱＲコードミラー反転画像に、模様３（図形・字など）を付加したものであり、より趣向を凝らしたものである。
【００１２】
ＱＲコードの意味の例としては、ＬＩＮＥなどのいわゆるＳＮＳのアドレス、メールアドレス、ＨＰアドレス、電話番号、名前や趣味のほか、以下のようなものを挙げることができる。
好みの料理・飲料、好みの異性のタイプ
【００１３】
タトゥシールを貼る部位の例としては、人体の腕・手の甲・顔・胸元等を挙げることができる。人体以外に貼ってもよい。
【００１４】
図２のタトゥシール11は、二次元バーコードのミラー反転画像が、左右の端部分13R・13Lが、他の部分（中央部分15）に対して拡大されているものである。この場合、人体表面の曲面、又は、柔軟性を有する物の曲面に貼るタトゥシール（図３（Ａ）参照）を撮影・解読しやすくなる。拡大するのは、曲面の彎曲の影響で、斜めに傾いて見かけの幅が縮小される部分であり、一般的には、左右及び／又は上下の端部分である。
【００１５】
図３は、本発明のタトゥシールの撮影方法の一例を示す図である。図３（Ａ）において、人の腕21の凸に彎曲した曲面にタトゥシール１が貼られている。このため、タトゥシール１の左右端部1R・1Lは、上から見て、見かけ幅が小さくなっており、このまま上からタトゥシール１を撮影（スマートフォンなどで）すると、左右端部1R・1Lの画像が左右に圧縮されて、コードを読み取れなくなるおそれがある。
【００１６】
そこで、図３（Ｂ）に示すように、手21´のタトゥシール１´の側部の部分に、指23あるいは棒、透明板を当てて、タトゥシール１´が貼られた手21´の表面を平たくする。これにより、タトゥシール１´を平たくして、タトゥシール１´上の二次元バーコード画像のゆがみを少なくして撮影する。このようにすることにより、人体表面の曲面、又は、柔軟性を有する物の曲面に貼るタトゥシールを撮影・解読しやすくなる。
【００１７】
次に、図４〜６を参照しつつ、本発明の実施形態に係るタトゥシール作成方法・装置の構成を説明する。
開始（S1）すると、まず二次元バーコード（ＱＲコード）の作成（S2）を行う。一つ選択可能な手法では、新しく二次元バーコードを作成する（S3）。すなわち、文字列を入力し（S4）、例えば、ＡＰＩ（Application Program Interface）を利用して構築したソフトを用いて、二次元バーコードを作成する（S5）。なお、文字列には、数字・図形を含めることもできる。
【００１８】
二次元バーコードは新規作成せず、既存のものを選択することもできる。例えば、システムあるいは端末等に蓄積されているＱＲコード画像をアップロードし（S3´）、その中から所望の画像を選択し（S4´）、選択された画像としてアップロードする（S5´）。
【００１９】
次に、作成又は選択した二次元バーコード（ＱＲコード）画像の周りに、模様や文字・図形・彩色などを施してデコレーションする（S6）。この際には、「ＡＰＩ」や「アドビ」などを用いることができる。その後、画像をプリントデータとして保存する（S7）。このS7ステップは、顧客の求めに応じてＱＲコード入りのタトゥシールを作成する業者としては、「入稿」と見ることもできる。
【００２０】
ＱＲコード作成（S5）あるいはデコレーション（S6）のステップ（他のステップでもよい）では、前述の端部拡大を行こともできる。あるいは、体の部位や曲面の程度、タトゥシールを貼る方向を指定して、それに応じて自動的に端部拡大の条件選択を行うこともできる。さらに、タトゥシールを貼る部位の色を指定して、その色を背景として撮影・解読しやすいタトゥ画像の色選択や、タトゥ画像の周りの縁取りなどを行うこともできる。
【００２１】
図５に進んで、タトゥシールの作成枚数・送付先などを指定、あるいは二次元バーコードを生成する（S11）。続いて、支払い方法を選択する（S12）。それに応じて、クレジットカード情報入力（S13）や着払い手数料等の確認（S13´）を行う。次に、タトゥシール購入内容の全体を、確認画面で確認し（S14）、購入手続が完了する（S15）。
【００２２】
図６に進んで、二次元バーコード（ＱＲコード）タトゥシールをプリント（印刷）（S21）する。タトゥシール印刷用紙は、市販のものを用いることができる。プリンターも、市販のものを用いることができる。次に、タトゥシールの発送処理（S22）を行い、発送記録を保存して（S23）、終了する。
【００２３】
以上の実施形態・実施例には、多様な変形・追加を行うことができる。
【図１】
2018022411.tif 000003
【図２】
2018022411.tif 000004
【図３】
2018022411.tif 000005
【図４】
2018022411.tif 000006
【図５】
2018022411.tif 000007
【図６】
2018022411.tif 000008